(57)【特許請求の範囲】
【請求項１】
圧縮機（１）、利用側熱交換器（２）及び膨張機構（３）をもつ第一ユニット（１０）と、該第一ユニット（１０）に対し高位に設置する熱源側熱交換器（４）をもつ第二ユニット（２０）とを備え、これらユニット間を長尺な冷媒通路（５６，５７）を介して接続し、利用側熱交換器（２）を凝縮器に、熱源側熱交換器（４）を蒸発器とする暖房運転を可能にすると共に、停止時、冷媒通路における高圧域と低圧域とを均圧する均圧通路（６）を設けた冷凍装置において、暖房運転時の高圧液路（５５）を開閉する第一開閉手段（７１）と、暖房運転時の低圧ガス路（５７）を開閉する第二開閉手段（７２）とを設けると共に、暖房運転の停止時、第一及び第二開閉手段（７１，７２）を閉鎖した後に均圧通路（６）を開く停止時制御手段（８）と、暖房運転の起動時、第一開閉手段（７１）を開いた後に、第二開閉手段（７２）を遅延させて開く起動時制御手段（９）とを設け、
起動時制御手段（９）が、高低差圧が所定値以下のとき、第一開閉手段（７１）を全閉から全開に制御し、高低差圧が所定値を越えるとき、第一開閉手段（７１）を全閉から徐々にその開度を大きくしていく第一開閉手段制御部（９１）を備えることを特徴とする冷凍装置。
【請求項２】
圧縮機（１）、利用側熱交換器（２）及び膨張機構（３）をもつ第一ユニット（１０）と、該第一ユニット（１０）に対し高位に設置する熱源側熱交換器（４）をもつ第二ユニット（２０）とを備え、これらユニット間を長尺な冷媒通路（５６，５７）を介して接続し、利用側熱交換器（２）を凝縮器に、熱源側熱交換器（４）を蒸発器とする暖房運転を可能にすると共に、停止時、冷媒通路における高圧域と低圧域とを均圧する均圧通路（６）を設けた冷凍装置において、暖房運転時の高圧液路（５５）を開閉する第一開閉手段（７１）と、暖房運転時の低圧ガス路（５７）を開閉する第二開閉手段（７２）とを設けると共に、暖房運転の停止時、第一及び第二開閉手段（７１，７２）を閉鎖した後に均圧通路（６）を開く停止時制御手段（８）と、暖房運転の起動時、第一開閉手段（７１）を開いた後に、第二開閉手段（７２）を遅延させて開く起動時制御手段（９）とを設け、
起動時制御手段（９）が、圧縮機（１）に吸い込ませる吸入ガスの湿り状態が過度にならないように第二開閉手段（７２）を全閉から徐々にその開度を大きくしていく第二開閉手段制御部（９２）を備えることを特徴とする冷凍装置。
【請求項３】
起動時制御手段（９）が、暖房運転の起動時、圧縮機（１）の運転の前に、第一開閉手段（７１）を開け、圧縮機（１）の運転の後に、第二開閉手段（７２）を開けるものであることを特徴とする請求項１または２記載の冷凍装置。
【請求項４】
第一開閉手段（７１）と膨張機構（３）とを兼用させていることを特徴とする請求項１〜３のいずれか１つに記載の冷凍装置。
【発明の詳細な説明】
【０００１】
【産業上の利用分野】
本発明は、例えばビルの地下室等に設置する第一ユニットと、ビルの屋上等に設置する第二ユニットとを備え、各ユニット間を長尺な冷媒通路で連結した冷凍装置に関する。
【０００２】
【従来の技術】
近年、この種の冷凍装置は、ビル空調システムを中心として盛んに用いられてきている。
【０００３】
又、冷凍装置の停止時の制御について、実公平２−３６０５９号公報に開示されたものが知られている。このものは、図３に示すように、圧縮機Ｐ、四路切換弁Ｂ、暖房時に凝縮器となり、冷房時に蒸発器となる利用側熱交換器Ｃ、冷房用膨張機構Ｖ、受液器Ｒ、暖房用膨張機構Ｗ、暖房時に蒸発器となり、冷房時に凝縮器となる熱源側熱交換器Ｅ、サクションアキュムレータＳを順次冷媒配管Ａを介して接続しており、冷媒通路における高圧域と低圧域との間に均圧通路Ｘ，Ｙを設けて、運転停止時、その通路中の開閉弁Ｊ，Ｋを開くことにより、高圧と低圧とを均圧し、再起動の容易化等が図れるようにしている。
【０００４】
【発明が解決しようとする課題】
しかし、図３に示す回路を、ビル空調システム等のユニット間を上下に長い冷媒通路で連結する冷凍装置には採用し難い問題がある。即ち、熱源側熱交換器Ｅの設置位置が高く、該熱源側熱交換器Ｅと膨張機構Ｗの出口部とのヘッド差が大きいため、停止時、均圧により、暖房運転時は低圧域となる膨張機構Ｗの下流に位置する熱源側熱交換器Ｅ側も、高圧域となる膨張機構Ｗの上流に位置する受液器Ｒ側も、同じ圧力となり、熱源側熱交換器Ｅ側の冷媒はその落差によって低位の受液器Ｒ等に回収され、再起動時に、受液器Ｒ等に溜っている液冷媒が設置位置の高い熱源側熱交換器Ｅに持ち上がり難くなり、熱源側熱交換器Ｅに冷媒が流れずに、低圧が下がり過ぎると共に能力が出ない問題が起こる。特に、ビルの高層化に伴い、この問題が顕著となる。
【０００５】
本発明の主目的は、ビル空調システム等の冷媒通路が上下に長いヘッド差のあるシステムにおいて、暖房運転の起動時、高位置にある熱源側熱交換器側に円滑に冷媒を持ち上げることができ、暖房運転の立上がりを良好且つ早期になし得る冷凍装置を提供する点にある。
【０００６】
【課題を解決するための手段】
そこで、上記主目的を達成するため、請求項１記載の発明は、圧縮機（１）、利用側熱交換器（２）及び膨張機構（３）をもつ第一ユニット（１０）と、該第一ユニット（１０）に対し高位に設置する熱源側熱交換器（４）をもつ第二ユニット（２０）とを備え、これらユニット間を長尺な冷媒通路（５６，５７）を介して接続し、利用側熱交換器（２）を凝縮器に、熱源側熱交換器（４）を蒸発器とする暖房運転を可能にすると共に、停止時、冷媒通路における高圧域と低圧域とを均圧する均圧通路（６）を設けた冷凍装置において、暖房運転時の高圧液路（５５）を開閉する第一開閉手段（７１）と、暖房運転時の低圧ガス路（５７）を開閉する第二開閉手段（７２）とを設けると共に、暖房運転の停止時、第一及び第二開閉手段（７１，７２）を閉鎖した後に均圧通路（６）を開く停止時制御手段（８）と、暖房運転の起動時、第一開閉手段（７１）を開いた後に、第二開閉手段（７２）を遅延させて開く起動時制御手段（９）とを設け、
起動時制御手段（９）が、高低差圧が所定値以下のとき、第一開閉手段（７１）を全閉から全開に制御し、高低差圧が所定値を越えるとき、第一開閉手段（７１）を全閉から徐々にその開度を大きくしていく第一開閉手段制御部（９１）を備えることを特徴とする冷凍装置である。
【０００７】
請求項２記載の発明は、圧縮機（１）、利用側熱交換器（２）及び膨張機構（３）をもつ第一ユニット（１０）と、該第一ユニット（１０）に対し高位に設置する熱源側熱交換器（４）をもつ第二ユニット（２０）とを備え、これらユニット間を長尺な冷媒通路（５６，５７）を介して接続し、利用側熱交換器（２）を凝縮器に、熱源側熱交換器（４）を蒸発器とする暖房運転を可能にすると共に、停止時、冷媒通路における高圧域と低圧域とを均圧する均圧通路（６）を設けた冷凍装置において、暖房運転時の高圧液路（５５）を開閉する第一開閉手段（７１）と、暖房運転時の低圧ガス路（５７）を開閉する第二開閉手段（７２）とを設けると共に、暖房運転の停止時、第一及び第二開閉手段（７１，７２）を閉鎖した後に均圧通路（６）を開く停止時制御手段（８）と、暖房運転の起動時、第一開閉手段（７１）を開いた後に、第二開閉手段（７２）を遅延させて開く起動時制御手段（９）とを設け、
起動時制御手段（９）が、圧縮機（１）に吸い込ませる吸入ガスの湿り状態が過度にならないように第二開閉手段（７２）を全閉から徐々にその開度を大きくしていく第二開閉手段制御部（９２）を備えることを特徴とする冷凍装置である。
【０００８】
請求項３記載の発明は、起動時制御手段（９）が、暖房運転の起動時、圧縮機（１）の運転の前に、第一開閉手段（７１）を開け、圧縮機（１）の運転の後に、第二開閉手段（７２）を開けるものであることを特徴とする。
【０００９】
請求項４記載の発明は、第一開閉手段（７１）と膨張機構（３）とを兼用させていることを特徴とする。
【００１１】
【作用】
請求項１記載の発明では、暖房運転の停止時、停止時制御手段８により、第一及び第二開閉手段７１，７２が閉鎖された後に、均圧通路６が開かれる。このため、各開閉手段７１，７２で塞き止める第一ユニット１０側の圧力を、運転時の高圧圧力よりも低いが、低圧の第二ユニット２０側よりも高圧の所定の圧力域に均圧することができる。この均圧により、圧縮機１の吸入側と吐出側とが同圧となり、再起動時の負荷を軽減できるなどの均圧の利点が得られる。そして、暖房運転の起動時、起動時制御手段９により、先ず第一開閉手段７１が開けられるため、第一ユニット１０側に滞留する冷媒は、第一ユニット１０側と第二ユニット２０側との間の高低差圧により、長い冷媒通路５６を下から上に向けて流れて、低圧の熱源側熱交換器４側に持ち上げられる。続いて第二開閉手段７２が遅延して開き、冷凍サイクルが形成されて冷媒が循環することになるのであり、このとき、予め、熱源側熱交換器４あるいはその近くに冷媒が持ち上げられているため、定常運転に移行するまでの時間は早く、暖房運転の立ち上がりをスムーズにすることができる。
また、停止時に第一及び第二開閉手段７１，７２により塞き止めた第一ユニット１０側の均圧域と、第二ユニット２０側の低圧域との間の高低差圧が比較的小さく、その高低差圧が所定値以下のときには、第一開閉手段制御部９１により、第一開閉手段７１は全閉から全開に制御される。このため、熱源側熱交換器４側に向けて第一ユニット１０側からできるだけ多くの冷媒が移送され、熱源側熱交換器４側の冷媒切れの問題を低減することができる。一方、第一ユニット１０側の均圧域と第二ユニット２０側の低圧域との間の高低差圧が比較的大きく、その高低差圧が所定値を越えるとき、第一開閉手段７１は全閉から徐々にその開度が大きくされる。このため、熱源側熱交換器４に一気に過大な量の液が持ち上げられてしまうのを防止でき、起動当初、圧縮機１の液の吸込みを低減することができる。このように、高低差圧に応じて、熱源側熱交換器４側に持ち上げる冷媒量を適正に制御するから、更に良好な運転の立上げを行うことができる。
【００１２】
請求項２記載の発明では、暖房運転の停止時、停止時制御手段８により、第一及び第二開閉手段７１，７２が閉鎖された後に、均圧通路６が開かれる。このため、各開閉手段７１，７２で塞き止める第一ユニット１０側の圧力を、運転時の高圧圧力よりも低いが、低圧の第二ユニット２０側よりも高圧の所定の圧力域に均圧することができる。この均圧により、圧縮機１の吸入側と吐出側とが同圧となり、再起動時の負荷を軽減できるなどの均圧の利点が得られる。そして、暖房運転の起動時、起動時制御手段９により、先ず第一開閉手段７１が開けられるため、第一ユニット１０側に滞留する冷媒は、第一ユニット１０側と第二ユニット２０側との間の高低差圧により、長い冷媒通路５６を下から上に向けて流れて、低圧の熱源側熱交換器４側に持ち上げられる。続いて第二開閉手段７２が遅延して開き、冷凍サイクルが形成されて冷媒が循環することになるのであり、このとき、予め、熱源側熱交換器４あるいはその近くに冷媒が持ち上げられているため、定常運転に移行するまでの時間は早く、暖房運転の立ち上がりをスムーズにすることができる。
また、暖房運転の起動時で、第二開閉手段７２が開かれる際、第二開閉手段制御部９２により、圧縮機１に吸い込ませる吸入ガスの湿り状態が過度にならないように、その開度が全閉から徐々に大きくされる。このため、起動当初、圧縮機１の液の吸込みをより確実に防止でき、より一層良好な運転の立上げを行うことができる。
請求項３記載の発明では、暖房運転の起動時、先ず第一開閉手段７１が開き、次に圧縮機１が運転されて、その後に第二開閉手段７２が開かれる。こうして、圧縮機１の運転を開始する際には、未だ第二開閉手段７２は閉鎖された状態である。このため、圧縮機１の運転に先立つ第一開閉手段７１の開動作によって熱源側熱交換器４に過剰に液が持ち上げられた場合や、停止時に第二開閉手段７２の上流側に液冷媒が滞留している場合等にあっても、圧縮機１は液を吸込むことはなく、該圧縮機１を保護できながら、その起動トルクを低減することができる。こうして、一層良好な運転の立上げを行うことができる。
【００１５】
請求項４記載の発明では、第一開閉手段７１は膨張機構３と兼用化でき、これら第一開閉手段７１と膨張機構３とを兼用することにより、少ない部品で簡易に所期の目的を達成することができる。
【００１６】
【実施例】
図１は、冷暖可能としたビル用ヒートポンプ式冷凍装置である。ビルの地下室に、圧縮機１、利用側熱交換器２等をもつ第一ユニット１０を、ビルの屋上に、熱源側熱交換器４をもつ第二ユニット２０をそれぞれ設置するものである。圧縮機１の吐出口１１から、吐出管５１、四路切換弁６０の第一固定ポート６１、同四路切換弁６０の第一切換ポート６３、ガス管５２、暖房時は凝縮器となり冷房時は蒸発器となる利用側熱交換器２、液管５３、電動弁から成る冷房用膨張機構３０、高圧液管５４、受液器８１、高圧液管５５、電動弁から成る暖房用膨張機構３、長尺な液管５６、暖房時は蒸発器となり冷房時は凝縮器となる熱源側熱交換器４、長尺なガス管５７、四路切換弁６０の第二切換ポート６４、同四路切換弁６０の第二固定ポート６２、サクションアキュムレータ８２、吸入管５８、圧縮機１の吸入口１２へと至る配管構成をもつものである。尚、３１は、暖房時に冷房用膨張機構３０を側路するバイパス用逆止弁、３２は、冷房時に暖房用膨張機構３を側路するバイパス用逆止弁である。
【００１７】
こうして、暖房運転時、冷媒は、符号で追うと１、１１、５１、６１、６０、６３、５２、２、５３、３１、５４、８１、５５、３、５６、４、５７、６４、６０、６２、８２、５８、１２、１という経路で循環し、凝縮器となる利用側熱交換器２で暖房用の温水を生成するようにしている。
【００１８】
一方、冷房運転時、冷媒は、同じく符号で追うと１、１１、５１、６１、６０、６４、５７、４、５６、３２、５５、８１、５４、３０、５３、２、５２、６３、６０、６２、８２、５８、１２、１という経路で循環し、蒸発器となる利用側熱交換器２で冷房用の冷水を生成するようにしている。
【００１９】
又、高圧域である受液器８１と低圧域であるサクションアキュムレータ８２との間には、配管から成る均圧通路６を接続しており、該通路６に介装する電磁弁から成る開閉手段６００を運転時は閉じるが、停止時には開くことにより、停止時に冷媒通路における高圧域と低圧域とを均圧するようにしている。
【００２０】
以上の構成で、暖房運転時に高圧液路となる液管５５に、該液管５５を開閉する第一開閉手段７１を設けると共に、暖房運転時に低圧ガス路となるガス管５７に、該ガス管５７を開閉する第二開閉手段７２を設ける。第一開閉手段７１は、電動弁から成る暖房用膨張機構３と兼用するものであり、全閉状態と全開状態の他、全閉から全開にわたる範囲内で、その開度を所定の開度に制御できるものである。又、第二開閉手段７２は、同様に電動弁から成るものであり、同じく、全閉状態と全開状態の他、全閉から全開にわたる範囲内で、その開度を所定の開度に制御できるものである。尚、第一開閉手段７１は、暖房用膨張機構３と兼用させる他、該膨張機構３とは別に液管５５に設けてもよい。又、第二開閉手段７２は、長尺なガス管５７の途中に介装することになるが、このガス管５７における第一ユニット１０側近くでも、第二ユニット２０側近くでも何れの位置に介装してもよい。
【００２１】
そして、暖房運転の停止時、第一及び第二開閉手段７１，７２を閉鎖した後に均圧通路６を開く停止時制御手段８と、暖房運転の起動時、第一開閉手段７１を開いた後に第二開閉手段７２を遅延させて開く起動時制御手段９とを設ける。
【００２２】
起動時制御手段９は、暖房運転の起動時、各開閉手段７１，７２を開くタイミングを、圧縮機１の運転前後を考慮して決めており、暖房運転の起動時、圧縮機１の運転の前に、第一開閉手段７１を開け、圧縮機１の運転の後に、第二開閉手段７２を開けるものである。又、この起動時制御手段９は、停止時の第一及び第二開閉手段７１，７２の閉動作により塞き止めた第一ユニット１０側の均圧域と、第二ユニット２０側の低圧域との間の高低差圧が所定値以下のとき、第一開閉手段７１を全閉から全開に制御し、その高低差圧が所定値を越えるとき、第一開閉手段７１を全閉から徐々にその開度を大きくしていく第一開閉手段制御部９１を備えるものである。更に、この起動時制御手段９は、第二開閉手段７２を開く際、圧縮機１に吸い込ませる吸入ガスの湿り状態が過度にならないように、該第二開閉手段７２を全閉から徐々にその開度を大きくしていく第二開閉手段制御部９２を備えるものである。
【００２３】
停止時制御手段８及び起動時制御手段９は、マイクロコンピュータを具備する制御器１００を用いて構築するものであり、該制御器１００の入力側には、運転の起動指令及び停止指令を発するサーモスイッチ等から成る起動及び停止指令手段９００と、吐出管５１に設ける第一圧力検出器ＰＨと、熱源側熱交換器４と第二開閉手段７２との間のガス管５７に設ける第二圧力検出器ＰＬと、同じくガス管５７に設ける温度検出器Ｔと、吸入管５８に設ける第三圧力検出器ＬＰとを入力させている。出力側には、制御対象となる第一及び第二開閉手段７１，７２、均圧通路６を開閉する開閉手段６００、及び圧縮機１を接続している。
【００２４】
こうして、図２に示すように、運転中に（ステップａ）、起動及び停止指令手段９００から停止指令が入ると（ステップｂ）、第一開閉手段７１及び第二開閉手段７２が全閉に向けて制御され（ステップｃ）、第三圧力検出器で検出する低圧圧力ＬＰが設定値以下に低下した後（ステップｄ）、圧縮機１を停止させて冷凍機の運転を停止させる（ステップｅ）。そして、この後に、均圧通路６の開閉手段６００を開にして第一ユニット１０側における高圧域と低圧域とを均圧させる（ステップｆ）。
【００２５】
次に、運転停止状態から、起動及び停止指令手段９００から起動指令が入ると（ステップｇ）、第一圧力検出器ＰＨで検出する第一ユニット１０側の高圧圧力ＰＨ（均圧圧力）と、第二圧力検出器ＰＬで検出する第二ユニット２０側の低圧圧力ＰＬとの間の高低差圧ＰＨ−ＰＬが、所定値ＨＰを越えるか否かを判定する（ステップｈ）。所定値ＨＰは、第一ユニット１０と第二ユニット２０とのヘッド差（ｋｇ／ｃｍ2 ）、すなわち第一ユニット１０と第二ユニット２０との間の高低落差（ｃｍ）に液比重（ｋｇ／ｃｍ3 ）を乗じた値に設定している。尚、所定値は、ヘッド差に一致させる他、このヘッド差に近い値に設定してもよい。
【００２６】
そして、ステップｈの判定で、高低差圧ＰＨ−ＰＬが、所定値ＨＰを越えることが無く、該所定値ＨＰ以下のときには、第一開閉手段７１を全閉から全開に制御し（ステップｉ）、この第一開閉手段７１が全開となった後に、圧縮機１の運転を開始させ、冷凍機を起動する（ステップｊ）。
【００２７】
一方、高低差圧ＰＨ−ＰＬが所定値ＨＰを越えるとき、起動直前、つまり圧縮機１の運転を開始する直前に、第一開閉手段７１を全閉状態から開き始め、徐々にその開度を大きくしていくのであり（ステップｋ）、この第一開閉手段７１の開き始めから一定時間経過して該第一開閉手段７１の開度が少し開いた時点で、圧縮機１の運転を開始させ、冷凍機を起動する（ステップｎ）。
【００２８】
続いて、圧縮機１の運転を開始させた後に、第二圧力検出器ＰＬで検出する吸入ガス圧力と、温度検出器Ｔで検出する吸入ガス温度とに基づいて、圧縮機１に吸い込ませる吸入ガスの湿り状態が過度にならないように、例えば、その過熱度が５ｄｅｇ以上に保たれるように、第二開閉手段７２を全閉から徐々にその開度を大きくしていき（ステップｑ）、通常運転に移行させる（ステップｒ）。
【００２９】
こうして、以上の構成により、暖房運転の停止時、各開閉手段７１，７２を閉鎖した後に均圧通路６を開くため、各開閉手段７１，７２で塞き止める第一ユニット１０側の圧力を、低圧の第二ユニット２０側よりも高圧の所定の圧力域に均圧することができ、この均圧により圧縮機１の吸入側と吐出側とを同圧にでき、再起動時の負荷を軽減できるなどの均圧の利点が得られる。そして、暖房運転の起動時、第一ユニット１０側と第二ユニット２０側との間の高低差圧ＰＨ−ＰＬに基づいて、その高低差圧が所定値ＨＰ以下の比較的小さい場合は、第一開閉手段７１の全開制御により、一度にできるだけ多くの冷媒を熱源側熱交換器４側に向けて移送でき、その高低差圧が所定値ＨＰを越える比較的大きい場合は、第一開閉手段７１の緩やかな開度の拡大により、少しずつ冷媒を熱源側熱交換器４側に移送でき、適正量の冷媒を熱源側熱交換器４側に持ち上げることができるのであり、その後の圧縮機１の運転及び湿り制御を伴う第二開閉手段７２の開制御により、圧縮機１に液を吸い込ませることなく、迅速且つ良好に定常運転に移行させることができるのである。
【００３０】
以上の実施例では、冷房と暖房とを切換える所謂ヒートポンプ式のものを示したが、暖房専用機にも同様に適用することができる。又、圧縮機１は、スクロール式のものでも、ロータリー式のものでも、ターボ式のものでも何れでもよく、圧縮機の型式は特に限定されるものではない。
【００３１】
【発明の効果】
請求項１記載の発明によれば、ビル空調システム等の冷媒通路が上下に長いヘッド差のあるシステムにおいて、暖房運転の停止時、停止時制御手段８により、第一及び第二開閉手段７１，７２を閉鎖した後に均圧通路６を開くため、各開閉手段７１，７２で塞き止める第一ユニット１０側の圧力を、低圧の第二ユニット２０側よりも高圧の圧力域に均圧することができ、再起動時の負荷軽減など均圧の利点が得られるし、暖房運転の起動時は、起動時制御手段９により、第二開閉手段７２に先立つ第一開閉手段７１の開放によって、予め、熱源側熱交換器４あるいはその近くに冷媒を持ち上げることができるため、暖房運転の立上がりを良好且つ早期に行うことができる。
また、第一開閉手段制御部９１により、暖房運転の起動時、高低差圧が所定値以下の低差圧時は、第一開閉手段７１は全閉から全開に制御され、できるだけ多くの冷媒を熱源側熱交換器４側に移送でき、高低差圧が所定値を越える高差圧時は、第一開閉手段７１は全閉から徐々にその開度が大きくされ、熱源側熱交換器４に一気に過大な量の液が持ち上げられるのを防止できるため、熱源側熱交換器４での冷媒切れ及び圧縮機１の液吸込みを低減でき、更に良好な運転の立上げを行うことができる。
【００３２】
請求項２記載の発明によれば、ビル空調システム等の冷媒通路が上下に長いヘッド差のあるシステムにおいて、暖房運転の停止時、停止時制御手段８により、第一及び第二開閉手段７１，７２を閉鎖した後に均圧通路６を開くため、各開閉手段７１，７２で塞き止める第一ユニット１０側の圧力を、低圧の第二ユニット２０側よりも高圧の圧力域に均圧することができ、再起動時の負荷軽減など均圧の利点が得られるし、暖房運転の起動時は、起動時制御手段９により、第二開閉手段７２に先立つ第一開閉手段７１の開放によって、予め、熱源側熱交換器４あるいはその近くに冷媒を持ち上げることができるため、暖房運転の立上がりを良好且つ早期に行うことができる。
また、第二開閉手段制御部９２により、暖房運転の起動時、第二開閉手段７２は、圧縮機１に吸い込ませる吸入ガスの湿り状態が過度にならないように、その開度が全閉から徐々に大きくされるため、起動当初、圧縮機１の液の吸込みをより確実に防止でき、より一層良好な運転の立上げを行うことができる。
請求項３記載の発明によれば、暖房運転の起動時、圧縮機１の運転を開始する際に第二開閉手段７２を閉鎖しているため、圧縮機１は液を吸込むことなく、該圧縮機１を保護できながら、その起動トルクを低減でき、一層良好な運転の立上げを行うことができる。
【００３５】
請求項４記載の発明によれば、第一開閉手段７１と膨張機構３との兼用により少ない部品で簡易に所期の目的を達成することができる。
【図面の簡単な説明】
【図１】本発明に係る冷凍装置の一実施例を示す配管図。
【図２】同冷凍装置の制御手順を示すフローチャート。
【図３】従来の冷凍装置を示す配管図。
【符号の説明】
１；圧縮機、２；利用側熱交換器、３；膨張機構（暖房用膨張機構）、４；熱源側熱交換器、６；均圧通路、１０；第一ユニット、２０；第二ユニット、５６，５７；長尺な冷媒通路、５５；高圧液路、５７；低圧ガス路、７１；第一開閉手段、７２；第二開閉手段、８；停止時制御手段、９；起動時制御手段、９１；第一開閉手段制御部、９２；第二開閉手段制御部
【図１】
0003680143.tif 000002
【図２】
0003680143.tif 000003
【図３】
0003680143.tif 000004